(57)【要約】【課題】  輸送スペースを削減し、販売物陳列時には、販売物とともに付属品の内容を視認可能とした物品収納ホルダーおよびホルダー付き冊子を提供する。【解決手段】  ホルダー付き冊子は、貼着対象となる物品（冊子部２）の裏面に貼着され、付属品を収納する容器の部分を折目線を介して１８０度回動可能として構成されている。また、物品収納ホルダー１は、回動軸に対して垂直方向の幅が、貼着対象となる物品の裏面を形成する一辺の２分の１以下の長さを有して構成される。【選択図】  図１
2005104502.tif 000002
【特許請求の範囲】
【請求項１】
貼着対象となる物品の付属品を収納する物品収納ホルダーであって、
前記物品収納ホルダーは、
前記貼着対象となる物品の裏面に貼着され、前記付属品を収納する容器の部分を折目線を介して１８０度回動可能として構成されることを特徴とする物品収納ホルダー。
【請求項２】
前記物品収納ホルダーは、
前記回動軸に対して垂直方向の幅が、前記貼着対象となる物品の裏面を形成する一辺の２分の１以下の長さを有して構成されることを特徴とする請求項１記載の物品収納ホルダー。
【請求項３】
前記物品収納ホルダーは、
前記折目線を切断線とし、該切断線を切断して前記付属品を収納する容器の部分を前記貼着対象となる物品から切離可能としたことを特徴とする請求項１または２記載の物品収納ホルダー。
【請求項４】
前記物品収納ホルダーは、
前記貼着対象となる物品の裏面と、剥離可能な接着剤により接着されていることを特徴とする請求項１または２記載の物品収納ホルダー。
【請求項５】
前記物品収納ホルダーは、
前記付属品を収納する容器の部分の高さを、前記容器の部分の高さ方向における、前記貼着対象とする物品の高さ以下として構成されることを特徴とする請求項１から４のいずれか１項に記載の物品収納ホルダー。
【請求項６】
前記物品収納ホルダーは、
前記貼着対象となる物品の裏面に対して、前記貼着対象となる物品を管理するための情報が設けられていない位置に貼着することを特徴とする請求項１から５のいずれか１項に記載の物品収納ホルダー。
【請求項７】
前記物品収納ホルダーは、
前記付属品を収納するブリスターパックと、
巻き折りされ、前記ブリスターパックを挟着する台紙と、
を有して構成され、
前記台紙は、
前記台紙に設けられた係止片により、前記ブリスターパックを挟着した部分と、前記物品の裏面に貼着した部分とを係止することを特徴とする請求項１から６のいずれか１項に記載の物品収納ホルダー。
【請求項８】
前記物品収納ホルダーは、
前記付属品を収納するブリスターパックと、
２つ折りされ、前記物品に対する貼着面の反対側の面に前記ブリスターパックを貼着する台紙と、
を有して構成され、
前記台紙は、
前記台紙に設けられた係止片により、前記ブリスターパックを貼着した部分と、前記物品の裏面に貼着した部分とを係止することを特徴とする請求項１から６のいずれか１項に記載の物品収納ホルダー。
【請求項９】
前記物品収納ホルダーは、
前記収納した付属品を視認可能な箱形状の容器と、
一方の面で前記貼着対象となる物品に貼着され、前記容器と折目線を介して連設される台紙と、
を有して構成され、
前記台紙は、
前記台紙に設けられた係止片により、前記容器と前記台紙とを係止することを特徴とする請求項１から６のいずれか１項に記載の物品収納ホルダー。
【請求項１０】
前記物品収納ホルダーは、
一方の面に、開口部と、該開口部の各辺縁に直交状外交に向いて形成されたリブとが設けられた、前記付属品を収納する箱形状の容器と、
巻き折りされ、前記物品に対する貼着面の反対側の面において互いに平行な２条の切り込みが設けられた台紙と、
を有して構成され、
前記容器は、
前記リブを前記切り込みに挿入されて、前記台紙に嵌合されることを特徴とする請求項１から６のいずれか１項に記載の物品収納ホルダー。
【請求項１１】
前記物品収納ホルダーは、
一方の面に、開口部と、該開口部の各辺縁に直交状外交に向いて形成されたリブとが設けられた、前記付属品を収納する箱形状の容器と、
２つ折りされ、前記物品に対する貼着面の反対側の面において互いに平行な２条の切り込みが設けられた台紙と、
を有して構成され、
前記容器は、
前記リブを前記切り込みに挿入されて、前記台紙に嵌合されることを特徴とする請求項１から６のいずれか１項に記載の物品収納ホルダー。
【請求項１２】
前記貼着対象となる物品を冊子とし、請求項１から１１のいずれか１項に記載の物品収納ホルダーが前記冊子の裏表紙に貼着されて構成されることを特徴とするホルダー付き冊子。
【発明の詳細な説明】
【技術分野】
【０００１】
本発明は、物品収納ホルダーおよびホルダー付き冊子に関し、特に、付属品を流通目的とする物品に付属させる物品収納ホルダーおよびホルダー付き冊子に関する。
【背景技術】
【０００２】
近年、消費者のニーズの多様化により、雑誌や書籍などの販売物に、音楽ＣＤなど書籍以外の販促品を付属させて提供される機会が増えている。
このような従来技術としては、例えば、販売物と同寸法の販促品等を収納するコンテナを販売物に貼着して、販促品等を販売物に付属させることが一般的であった。
【０００３】
上記のような販売物に販促品等の物品を付属させる従来技術として、特許文献１が開示するところのサンプルホルダーとサンプルホルダー付き本があった。特許文献１におけるサンプルホルダーでは、書籍、雑誌と略同質の紙材料積層体からなる出来本を打ち抜き加工して開口を設け、当該開口内に物品を収納できるようにしていた。また、このサンプルホルダーは、書籍・雑誌と一緒に丁合されていた。
【０００４】
また、特許文献２が開示するところの複合装丁物があった。特許文献２における複合装丁物は、二つ折りされる台紙の少なくとも一方の内面側に硬質樹脂製のブリスターを設けてなる外表紙を本、雑誌等の書籍類本体に取り外し可能に取り付け、このブリスターの収納部内に磁気的または光学的情報記録物をケースごと収納していた。
【特許文献１】特開２００３−２０８１０２号公報
【特許文献２】特許第２５５２９９９号公報
【発明の開示】
【発明が解決しようとする課題】
【０００５】
しかしながら、従来技術には、以下のような問題点があった。
販売物と同寸法の販促品等を収納するコンテナを、冊子などの販売物に貼着した場合、販促品の大きさに対してコンテナが大きすぎ、過剰包装の印象を与えていた。
また、このような販売物と同寸法のコンテナを販売物に貼着させることにより、体積も大きくなるため、輸送コストもかかっていた。
さらに、コンテナは、冊子の裏面全体に取り付けられるため、流通管理用バーコードなどが隠れて読み取りが困難となる可能性があった。
【０００６】
また、従来、販売物表面と、販促品等の付属品の内容が視認可能な面とが異なる側に設けられていたため、販売物と付属品との内容を同時に視認することが困難であった。
【０００７】
特許文献１に関しても、上述したような問題点が同様に生じてしまい、販売物全体の体積が著しく大きくなってしまう虞があった。また、書籍・雑誌の表紙面とサンプルを視認するための開口が設けられている面とが反対側に設けられており、その内容を同時に視認することが困難であった。
【０００８】
また、特許文献２でも、同様に、収納される物品（ブリスター）の大きさに対してケースが著しく大きくなってしまい、過剰包装となってしまう可能性があった。さらに、特許文献２では、流通時に付属品を収納し、表紙を二つ折りにするため、付属品の内容を視認することが困難であった。
【０００９】
本発明は、上記問題点に鑑みてなされたものであり、輸送スペースを削減し、販売物陳列時には、販売物とともに付属品の内容を視認可能とした物品収納ホルダーおよびホルダー付き冊子を提供することを目的とする。
【課題を解決するための手段】
【００１０】
かかる目的を達成するため、本発明は、貼着対象となる物品の付属品を収納する物品収納ホルダーであって、物品収納ホルダーは、貼着対象となる物品の裏面に貼着され、付属品を収納する容器の部分を折目線を介して１８０度回動可能として構成されることを特徴とする。
【００１１】
また、本発明によれば、物品収納ホルダーは、回動軸に対して垂直方向の幅が、貼着対象となる物品の裏面を形成する一辺の２分の１以下の長さを有して構成されることを特徴とする。
【００１２】
また、本発明によれば、物品収納ホルダーは、折目線を切断線とし、切断線を切断して付属品を収納する容器の部分を貼着対象となる物品から切離可能としたことを特徴とする。
【００１３】
また、本発明によれば、物品収納ホルダーは、貼着対象となる物品の裏面と、剥離可能な接着剤により接着されていることを特徴とする。
【００１４】
また、本発明によれば、物品収納ホルダーは、付属品を収納する容器の部分の高さを、容器の部分の高さ方向における、貼着対象とする物品の高さ以下として構成されることを特徴とする。
【００１５】
また、本発明によれば、物品収納ホルダーは、貼着対象となる物品の裏面に対して、貼着対象となる物品を管理するための情報が設けられていない位置に貼着することを特徴とする。
【００１６】
また、本発明によれば、物品収納ホルダーは、付属品を収納するブリスターパックと、巻き折りされ、ブリスターパックを挟着する台紙と、を有して構成され、台紙は、台紙に設けられた係止片により、ブリスターパックを挟着した部分と、物品の裏面に貼着した部分とを係止することを特徴とする。
【００１７】
また、本発明によれば、物品収納ホルダーは、付属品を収納するブリスターパックと、２つ折りされ、物品に対する貼着面の反対側の面にブリスターパックを貼着する台紙と、を有して構成され、台紙は、台紙に設けられた係止片により、ブリスターパックを貼着した部分と、物品の裏面に貼着した部分とを係止することを特徴とする。
【００１８】
また、本発明によれば、物品収納ホルダーは、収納した付属品を視認可能な箱形状の容器と、一方の面で貼着対象となる物品に貼着され、容器と折目線を介して連設される台紙と、を有して構成され、台紙は、台紙に設けられた係止片により、容器と台紙とを係止することを特徴とする。
【００１９】
また、本発明によれば、物品収納ホルダーは、一方の面に、開口部と、開口部の各辺縁に直交状外交に向いて形成されたリブとが設けられた、付属品を収納する箱形状の容器と、巻き折りされ、物品に対する貼着面の反対側の面において互いに平行な２条の切り込みが設けられた台紙と、を有して構成され、容器は、リブを切り込みに挿入されて、台紙に嵌合されることを特徴とする。
【００２０】
また、本発明によれば、物品収納ホルダーは、一方の面に、開口部と、開口部の各辺縁に直交状外交に向いて形成されたリブとが設けられた、付属品を収納する箱形状の容器と、２つ折りされ、物品に対する貼着面の反対側の面において互いに平行な２条の切り込みが設けられた台紙と、を有して構成され、容器は、リブを切り込みに挿入されて、台紙に嵌合されることを特徴とする。
【００２１】
また、本発明によれば、ホルダー付き冊子は、貼着対象となる物品を冊子とし、上記の物品収納ホルダーが冊子の裏表紙に貼着されて構成されることを特徴とする。
【発明の効果】
【００２２】
本発明によれば、輸送時にはその省スペースを実現し、店頭などでの陳列時には、流通目的とする物品の表面と同時に、その物品の付属品も視認することが可能となる。
【発明を実施するための最良の形態】
【００２３】
本発明の実施形態におけるホルダー付き冊子は、貼着対象となる物品（冊子など）の裏面に貼着され、付属品を収納する容器の部分を折目線を介して１８０度回動可能として構成されることを特徴としている。
また、物品収納ホルダーは、回動軸に対して垂直方向の幅が、前記貼着対象となる物品の裏面を形成する一辺の２分の１以下の長さを有して構成される。
【００２４】
（第１の実施形態）
本実施形態におけるホルダー付き冊子は、物品収納ホルダーを冊子の裏面に貼着して構成される。物品収納ホルダーは、シート状の素材（台紙）を巻き折りしたものに、収納した付属品の内容を視認可能なように一部を透明樹脂で形成された容器（ブリスタ−パック）を挟着して形成される。
【００２５】
図１は、本発明の第１の実施形態におけるホルダー付き冊子の外観を示す斜視図である。
図１に示されるように、本実施形態におけるホルダー付き冊子は、書籍または雑誌等の冊子部２の裏表紙に、販促品などの付属品を収納可能な物品収納ホルダー１が貼着されて構成される。このとき、冊子部２の裏表紙において、冊子部２を管理するための情報であるバーコード等の製品管理情報３が印刷された領域が露出するように、物品収納ホルダー１は貼着される。また、天地左右の法定文字（発行人、編集人、発行日等）をも露出するように貼着してもよく、さらに、上記の法定文字を物品収納ホルダー１の表面に印刷してもよい。
また、物品収納ホルダー１は、付属品を収納するための収納部４と、収納部４を保持する回動可能な回動部５とを有して構成される。
【００２６】
図２は、本発明の第１の実施形態における物品収納ホルダー１の回動部５の平面展開図である。以下、図２を用いて、回動部５について説明する。
【００２７】
方形状の上面部１０２の中央は、くり抜かれ、窓部１０５が形成されている。
上面部１０４の１辺には、折目線１１５を介して方形状の底面部１０３が連設され、底面部１０３にはミシン目、ハーフカット等の切断線１１４を介して方形状の上面部１０２が連設されている。
方形状の保持面部１０１には、コの字状に切り込み１０７が設けられ、その至端は折目線１１１に接続され、係止片１０６が形成されている。
また、上面部１０２において底面部１０３が連設されている辺の対辺には、折目線１１１を介して係止片１０６を含む保持面部１０１が連設されている。
また、係止片１０６の先端には、折目線１１１と平行する方向に突起１０８、１０９が設けられている。係止片１０６が、上面部１０４が底面部１０３に２つ折りに接着されてなる挿入口へ挿入されるとき、突起１０８、１０９がその挿入口に掛かり、物品収納ホルダー１による意図しない回動を防止する。
【００２８】
なお、折目線１１１、１１５、切断線１１４は互いに平行であるものとする。
【００２９】
図３の（ａ）は、本発明の第１の実施形態における物品収納ホルダー１の収納部４の外観を示す斜視図であり、（ｂ）は、本発明の第１の実施形態における収納部４の平面図であり、（ｃ）は、本発明の第１の実施形態における収納部４の断面図であって、（ｂ）の点線部分の断面を示す。
以下、図３を用いて、本実施形態における収納部４について説明する。
【００３０】
図３に示されているように、収納部４は、例えば直方体形状の箱形の容器であり、収納部４の底面１３４に対向する面（開口面１３５）には開口部１３１が設けられ、付属品１３３が収納可能となっている。
付属品１３３は、直接収納部４に収納してもよいが、付属品１３３のサイズによっては、収納部４内で転動、破損する場合も考えられるので、付属品１３３の形状に対応させた凹部を形成した嵌合保持部材等に予め入れてから収納部４に嵌合・収納してもよい。
【００３１】
収納部４は、少なくともその一部が付属品１３３を視認可能なように透明な樹脂で形成されている。収納部４におけるその一部を成形する樹脂は、付属品１３３の外観を透視し得るものであれば特に制限はなく、ポリエチレン、ポリプロピレン、ポリエチレンテレフタレート等の透明樹脂を任意に選択して用いることができる。
【００３２】
また、収納部４の開口面１３５の各辺縁に直交状外方に向くリブ１３２が設けられている。リブ１３２は、収納部４を回動部５に嵌合する際に、収納部４を回動部５に係止するために用いられる。
【００３３】
なお、本実施形態では、収納部４は、直方体形状としたが、開口部１３１、リブ１３２が設けられ、収納されている付属品１３３の外観が視認可能であれば、形状はこれに限定されず、また、透明樹脂で形成されている部分の範囲および場所についても限定されないものとする。
また、本実施形態では、収納部４の開口面全体が開口部１３１とするように形成したが、外部から付属品１３３が収納可能であればその開口面の一部分に開口部１３１を設けるようにしてもよい。また、収納部４は、図面によれば１つであるが、複数設けてもよい。
【００３４】
図４の（ａ）〜（ｅ）は、本発明の第１の実施形態におけるホルダー付き冊子を組み立てる工程を示した図である。以下、図４を用い、本実施形態におけるホルダー付き冊子の製造方法について説明する。
【００３５】
まず、図４の（ａ）に示されているように、収納部４を回動部５の窓部１０５に嵌合する。
ここで、収納部４の底面１３４の形状および大きさは、窓部１０５と略等しい（窓部１０５と等しいかあるいはやや小さい大きさ）。一方、リブ１３２が設けられている収納部４の開口面１３５の大きさは、窓部１０５よりも大きい。
このことにより、収納部４を窓部１０５に嵌合したとき、リブ１３２が上面部１０２に掛合し、収納部４が回動部５に係止される。
【００３６】
次に、図４の（ｂ）に示されるように、上面部１０２の接着部分１２１に接着剤を塗布し、保持面部１０１を折目線１１１に沿って内側に折り曲げて保持面部１０１と上面部１０２とを接着する。これにより、収納部４が回動部５に固定される。
【００３７】
次に、図４の（ｃ）に示されるように、保持面部１０１および上面部１０２を切断線１１４に沿って内側に折り曲げる。
また、このとき、係止片１０６は、底面部１０３上に載置される。
【００３８】
次に、図４の（ｄ）に示されるように、上面部１０４の接着部分１２３、１２４に接着剤を塗布し、上面部１０４を折目線１１５に沿って内側に折り曲げて上面部１０４と底面部１０３とを接着する。
また、このとき、係止片１０６には接着剤が付着しないようにする。
以上のようにして、物品収納ホルダー１の組み立てが完成する。
【００３９】
最後に、図４の（ｅ）に示されるように、底面部１０３の裏側の面に接着剤を塗布して、物品収納ホルダー１を冊子部２の裏表紙に接着固定する。
このとき、冊子部２におけるバーコード等の製品管理情報３が露出するような位置に物品収納ホルダー１を接着するものとする。
以上で、ホルダー付き冊子の組み立てが完成する。
【００４０】
図５の（ａ）〜（ｃ）は、本発明の第１の実施形態におけるホルダー付き冊子の輸送時および陳列時の形態を示す斜視図である。
以下、図５を用いて、輸送後に店頭等で陳列する際におけるホルダー付き冊子の形態の変化について説明する。
【００４１】
図５の（ａ）に示されているように、輸送時には、ホルダー付き冊子は、冊子部２の裏表紙１４１上に物品収納ホルダー１全体が載置されている形態をとる。
【００４２】
これを、店頭等で陳列するときには、図５の（ｂ）に示されるように、収納部４、保持面部１０１、上面部１０２および係止片１０６からなる部分を、切断線１１４に沿って外側（ここでは背表紙１４３側）に１８０°展開（回動）する。
また、このとき、係止片１０６を折目線１１１に沿って内側に折り曲げて保持面部１０１内に収納するようにしてもよい。
【００４３】
図５の（ｃ）に示されているように、ホルダー付き冊子は、販売時等には、冊子部２の表紙１４２面と収納部４とが同一面に並んで陳列される。
【００４４】
なお、本実施形態では、収納部４の高さ（裏表紙１４１面に対して垂直方向の長さ）は、冊子部２の厚み以下とする。
このことにより、図５の（ｃ）のように、冊子部２の表紙１４２面と収納部４とを同一面に並べて複数のホルダー付き冊子を積重した場合、各表紙１４２面が互いに平行となり、安定した陳列を実現することが可能となる。
【００４５】
図６の（ａ）は、本発明の第１の実施形態におけるホルダー付き冊子の輸送時の形態を示す図であり、（ｂ）は、従来のホルダー付き冊子の輸送時の形態を示す図であり、（ｃ）は、本発明の第１の実施形態におけるホルダー付き冊子の販売・陳列時の形態を示す図である。
【００４６】
図６の（ａ）に示されているように、本実施形態において、輸送時には、１組のホルダー付き冊子は、その収納部４が互い違いに積重される。この１組のホルダー付き冊子が複数組、さらに積重されて輸送される。
このように、本実施形態におけるホルダー付き冊子では、回動可能な物品収納ホルダー１における回動軸（切断線１１４）に垂直な方向の長さ、すなわち裏表紙１４１を形成する外周縁のうち回動軸に平行かつ最も近接した一辺から、収納部４の底面１３４を形成する外周縁のうち回動軸より最も離間した一辺（一端）までの距離を、冊子部２における回動軸に垂直方向の幅の２分の１以下とすることにより、その収納部４が互い違いに積重することができる。
【００４７】
これに対し、従来のホルダー付き冊子は、図６の（ｂ）に示されているように、収納部を互い違いにせず、単に積重しただけである。
例えば、本実施形態および従来のホルダー付き冊子における冊子部の厚さ（高さ）をＨａ、収納部の高さをＨｂとしたとき、本実施形態のホルダー付き冊子１組の高さは（２Ｈａ＋Ｈｂ）となり、従来のホルダー付き冊子１組の高さは（２Ｈａ＋２Ｈｂ）となる。
このように、収納部４が互い違いになるように、ホルダー付き冊子を交互に積重することにより、輸送スペースを削減することが可能となる。
【００４８】
また、図６の（ｃ）に示されているように、陳列時には、ホルダー付き冊子の収納部４保持部分を１８０°回動して、表紙１４２と収納部４とが同一面に並ぶように配置する。
このことにより、収納部４に収納されている付属品１３３を冊子部２の表紙１４２とともに視認しやすくなり、付属品１３３による販売促進効果を向上させることが可能となる。
【００４９】
図７の（ａ）、（ｂ）、（ｃ）は、本発明の第１の実施形態におけるホルダー付き冊子からの付属品１３３の収納部分の切り離しを示す図である。以下、図７を用いて、本実施形態におけるホルダー付き冊子から付属品１３３の収納部分を切り離す方法について説明する。
【００５０】
まず、図７の（ａ）に示される輸送時の形態から、切断線１１４を回動軸として、付属品１３３の収納部分（収納部４、保持面部１０１、上面部１０２および係止片１０６からなる部分）を回動して図７の（ｂ）のように展開する。
次に、図７の（ｃ）に示されるように、上面部１０２と底面部１０３とを連設する切断線１１４を切断すると、付属品１３３の収納部分がホルダー付き冊子から切離する。
このようにして、ホルダー付き冊子は、通常の冊子とほぼ同様の形状を有することとなり、快適な閲覧が可能な冊子（冊子部２）を提供することが可能となる。
【００５１】
なお、本実施形態では、切断線１１４を切断することにより、付属品１３３の収納部分を切離していたが、物品収納ホルダー１と冊子部２とが剥離可能な接着剤（例えばエマルジョン系のホットメルト接着剤）により接着固定されるとしてもよい。この場合、物品収納ホルダー１と冊子部２とを繰り返し容易に接着・分離することが可能となる。
【００５２】
上述したように、本実施形態では、冊子部２の裏表紙１４１と背表紙１４３との連設部分を回動軸として１８０°回動するホルダー付き冊子について説明したが、物品収納ホルダー１の回動方向は他のものであってもよい。
図８は、本発明の第１の実施形態の他の例におけるホルダー付き冊子の外観を示す斜視図である。以下、図８を用いて、本実施形態の他の例におけるホルダー付き冊子について説明する。
なお、特記しない限り、この他の例におけるホルダー付き冊子は、本発明の第１の実施形態と同様の形状および機能を有しているものとする。
【００５３】
図８に示される例では、物品収納ホルダー１は小口（裏表紙１４１において背表紙１４３と連設した辺を除く残りの３辺）を回動軸として１８０°回動する。
このように、物品収納ホルダー１の回動方向は第１の実施形態に示した方向以外の他の方向に取ることも可能である。なお、物品収納ホルダー１が固定される販売品（冊子部２など）の種類、形状および大きさによって、物品収納ホルダー１の回動方向を様々な方向にとることが可能である。
【００５４】
なお、本実施形態では、物品収納ホルダー１を固定する対象を冊子としたが、他のものであってもよい。
【００５５】
以上説明したように、本実施形態によれば、ホルダー付き冊子を陳列するときには、冊子部２の裏表紙１４１面上の付属品１３３の収納部分を回動軸（切断線１１４）に沿って１８０°回動させることにより、冊子部２の表紙１４２と同一面側に付属品１３３の収納部分を配置することができる。
従って、販売品の表面（冊子部２の表紙１４２）とともに販促品（付属品１３３）に対する視認し易さを高めることができ、顧客に対する訴求力を向上させることが可能となる。
【００５６】
また、本実施形態によれば、輸送時のホルダー付き冊子では、付属品１３３の収納部分は、裏表紙１４１面全体を２分の１の面積に分割した面内に存在する。
従って、ホルダー付き冊子を交互に積重することにより、ホルダー付き冊子の輸送スペースを削減することが可能となる。
【００５７】
また、本実施形態によれば、輸送時において、付属品１３３の収納部分は、バーコード等の製品管理情報３を隠蔽しないように裏表紙１４１上に載置される。
従って、輸送時に製品管理情報３を容易かつ迅速に読み取ることが可能となる。
【００５８】
（第２の実施形態）
本実施形態におけるホルダー付き冊子は、物品収納ホルダーの下面を冊子の裏面に貼着して構成される。物品収納ホルダーは、シート状の素材（台紙）を２つ折にしたものの上面に、収納した付属品の内容を視認可能なように一部を透明樹脂で形成された容器（ブリスタ−パック）を貼着して形成される。
以下、特記しない限り、本実施形態における構成および機能は、第１の実施形態と同様であるとして説明を進める。
【００５９】
図９は、本発明の第２の実施形態におけるホルダー付き冊子の外観を示す斜視図である。
図９に示されるように、本実施形態におけるホルダー付き冊子は、冊子部２の裏表紙に、販促品などの付属品を収納可能な物品収納ホルダー１１が貼着されて構成される。このとき、冊子部２の裏表紙において、製品管理情報３が印刷された領域が露出するように、物品収納ホルダー１１は貼着される。
また、物品収納ホルダー１１は、付属品を収納するための収納部４と、収納部４を保持する回動可能な回動部１５とを有して構成される。
【００６０】
図１０は、本発明の第２の実施形態における物品収納ホルダー１１の回動部１５の平面展開図である。以下、図１０を用いて、回動部１５について説明する。
【００６１】
方形上の上面部２０４の１辺には、折目線２１５を介して方形状の底面部２０３が連設され、底面部２０３には切断線２１４を介して方形状の上面部２０２が連設されている。
また、上面部２０２において底面部２０３に連設されている辺の対辺の中央部分には、折目線２１３を介して係止片２０６が連設されている。
また、係止片２０６の先端には、折目線２１３方向に突起２０８、２０９が設けられている。係止片２０６が、上面部２０４が底面部２０３に２つ折りに接着されてなる挿入口へ挿入されるとき、突起２０８、２０９がその挿入口に掛かり、物品収納ホルダー１１による意図しない回動を防止する。
なお、折目線２１３、２１５、切断線２１４は互いに平行であるものとする。
【００６２】
図１１の（ａ）〜（ｅ）は、本発明の第２の実施形態におけるホルダー付き冊子を組み立てる工程を示した図である。以下、図１１を用い、本実施形態におけるホルダー付き冊子の製造方法について説明する。
【００６３】
まず、図１１の（ｂ）に示されているように、図１１の（ａ）の状態から上面部２０２を切断線２１４に沿って内側に折り曲げる。また、このとき、係止片２０６は、底面部２０３上に載置される。
【００６４】
次に、図１１の（ｃ）に示されるように、上面部２０４の接着部分２２３、２２４に接着剤を塗布し、上面部２０４を折目線２１５に沿って外側に折り曲げて上面部２０４と底面部２０３とを接着する。
また、このとき、係止片２０６には接着剤が付着しないようにする。
【００６５】
次に、図１１の（ｄ）に示されるように、付属品１３３が収納された収納部４のリブ１３２の開口面１３５側に接着剤を塗布し、収納部４を上面部２０２上に接着固定する。
以上のようにして、物品収納ホルダー１１の組み立てが完成する。
【００６６】
最後に、図１１の（ｅ）に示されるように、底面部２０３の裏側の面に接着剤を塗布して、物品収納ホルダー１１を冊子部２の裏表紙に接着固定する。
このとき、冊子部２におけるバーコード等の製品管理情報３が露出するような位置に物品収納ホルダー１１を接着するものとする。
以上で、ホルダー付き冊子の組み立てが完成する。
【００６７】
図１２の（ａ）〜（ｃ）は、本発明の第２の実施形態におけるホルダー付き冊子の輸送時および陳列時の形態を示す斜視図である。
以下、図１２を用いて、輸送後に店頭等で陳列する際におけるホルダー付き冊子の形態の変化について説明する。
【００６８】
図１２の（ａ）に示されているように、輸送時には、ホルダー付き冊子は、冊子部２の裏表紙１４１上に物品収納ホルダー１１全体が載置されている形態をとる。
【００６９】
これを、店頭等で陳列するときには、図１２の（ｂ）に示されるように、収納部４、上面部２０２および係止片２０６からなる部分を、切断線２１４に沿って外側（ここでは背表紙１４３側）に１８０°展開（回動）する。
また、このとき、係止片２０６を折目線２１３に沿って内側に折り曲げるようにしてもよい。
【００７０】
図１２の（ｃ）に示されているように、ホルダー付き冊子は、販売時等には、冊子部２の表紙１４２面と収納部４とが同一面に並んで陳列される。
【００７１】
なお、本実施形態では、収納部４の高さ（裏表紙１４１面に対して垂直方向の長さ）は、冊子部２の厚み以下とする。
このことにより、図１２の（ｃ）のように、冊子部２の表紙１４２面と収納部４とを同一面に並べて複数のホルダー付き冊子を積重した場合、各表紙１４２面が互いに平行となり、安定した陳列を実現することが可能となる。
【００７２】
なお、本実施形態では、第１の実施形態と同様に、切断線２４１を切断することにより、付属品１３３の収納部分を切離可能としている。さらに、本実施形態では、第１の実施形態と同様に、物品収納ホルダー１１と冊子部２とが剥離可能な接着剤（例えばエマルジョン系のホットメルト接着剤）により接着固定されるとしてもよい。この場合、物品収納ホルダー１１と冊子部２とを繰り返し容易に接着・分離することが可能となる。
【００７３】
また、本実施形態におけるホルダー付き冊子では、第１の実施形態と同様に、物品収納ホルダー１１における回動軸（切断線２１４）に垂直な方向の長さ、すなわち裏表紙１４１を形成する外周縁のうち回動軸に平行かつ最も近接した一辺から、収納部４の底面１３４を形成する外周縁のうち回動軸より最も離間した一辺（一端）までの距離を、冊子部２における回動軸に垂直方向の幅の２分の１以下とすることにより、その収納部４が互い違いに積重することができる。
従って、その収納部４が互いに対向するように、ホルダー付き冊子を交互に積重することにより、ホルダー付き冊子の輸送スペースを削減することが可能となる。
【００７４】
以上説明したように、本実施形態によれば、ホルダー付き冊子を陳列するときには、冊子部２の裏表紙１４１面上の付属品２３３の収納部分を回動軸（切断線２４１）に沿って１８０°回動させることにより、冊子部２の表紙１４２と同一面側に付属品１３３の収納部分を配置することができる。
従って、販売品の表面（冊子部２の表紙１４２）とともに販促品（付属品１３３）に対する視認し易さを高めることができ、顧客に対する訴求力を向上させることが可能となる。
【００７５】
また、本実施形態によれば、物品収納ホルダーの下面を冊子の裏面に貼着して構成される。物品収納ホルダーは、シート状の素材（回動部）を２つ折にしたものの上面に、収納した付属品の内容を視認可能なように一部を透明樹脂で形成された容器（ブリスタ−パック）を貼着して形成される。
従って、回動部をシート状素材を巻き折り形成した場合に比べて、簡易な構造で同様の効果を得ることができる。
【００７６】
（第３の実施形態）
本実施形態におけるホルダー付き冊子は、物品収納ホルダーの下面を冊子の裏面に貼着して構成される。物品収納ホルダーは、収納した付属品の内容を視認可能なように窓部が設けられた箱形状の容器（紙箱）を、シート状の素材（台紙）に設けられた係止片によりそのシート状の素材に係止して形成される。
以下、特記しない限り、本実施形態における構成および機能は、第１の実施形態と同様であるとして説明を進める。
なお、本実施形態では紙箱としたが、透明なプラスチック板等により形成した箱でもよく、その場合、必ずしも窓部は必要ではない。
【００７７】
図１３は、本発明の第３の実施形態におけるホルダー付き冊子の外観を示す斜視図である。
図１３に示されるように、本実施形態におけるホルダー付き冊子は、冊子部２の裏表紙に、販促品などの付属品を収納可能な物品収納ホルダー２１が貼着されて構成される。このとき、冊子部２の裏表紙において、製品管理情報３が印刷された領域が露出するように、物品収納ホルダー２１は貼着される。
また、物品収納ホルダー２１は、付属品を収納するための収納部２４と、収納部２４を保持する回動可能な回動部２５とを有して構成される。
【００７８】
図１４は、本発明の第３の実施形態における物品収納ホルダー２１の回動部２５の平面展開図である。以下、図１４を用いて、回動部２５について説明する。
【００７９】
方形上の上面部３０３の中央は、くり抜かれ、窓部３４１が形成されている。
上面部３０３の１辺には、折目線３２５を介して側面部３０２が連設される。
方形状の底面部３０１には、コの字状に切り込み３５２が設けられ、その至端は折目線３２２に接続され、係止片３５１が形成されている。なお、係止片３５１は、側面部３０２に同様に設けてもよい。また、係止片３５１の先端には、折目線３２２方向に突起３５３、３５４が設けられている。係止片３５１が、上面部３０６が底面部３０５に２つ折りに接着されてなる挿入口へ挿入されるとき、突起３５３、３５４がその挿入口に掛かり、物品収納ホルダー２１による意図しない回動を防止する。
側面部３０２の上面部３０３が連設されている辺の対辺には、折目線３２２を介して係止片３５１を含む底面部３０１が連設されている。
側面部３０２の底面部３０１、上面部３０３が連設されていない辺には、折目線３３７を介して閉鎖片３１５が連設され、閉鎖片３１５が連設されている辺の対辺には、折目線３３８を介して閉鎖片３１６が連設されている。
【００８０】
底面部３０１の側面部３０２が連設されている辺の対辺には、折目線３２１を介して貼着片３１９が連設されている。
【００８１】
上面部３０３の側面部３０２が連設されている辺の対辺には、折目線３２６を介して側面部３０４が連設されている。
上面部３０３の側面部３０２、３０４が連設されていない辺には、折目線３３３を介して側面部３１１が連設され、側面部３１１の上面部３０３が連設されている辺の対辺には折目線３３４を介して差し込み片３１２が連設されている。
上面部３０３の側面部３１１が連設されている辺の対辺には、折目線３３５を介して側面部３１３が連設され、側面部３１３の上面部３０３が連設されている辺の対辺には、折目線３３６を介して差し込み片３１４が連設されている。
【００８２】
側面部３０４の上面部３０３が連設されている辺の対辺には、切断線３２７を介して底面部３０５が連設され、底面部３０５の側面部３０４が連設されている辺の対辺には、折目線３２８を介して上面部３０６が連設されている。
側面部３０４の上面部３０３、底面部３０５が連設されていない辺には、折目線３３９を介して閉鎖片３１７が連設されている。
側面部３０４の閉鎖片３１７が連設されている辺の対辺には、折目線３４０を介して閉鎖片３１８が連設されている。
【００８３】
なお、折目線３２１、３２２、３２５、３２６、３２８、切断線３２７は互いに平行であるものとする。
また、折目線３３３〜３４０は、互いに平行であるものとする。
【００８４】
図１５の（ａ）〜（ｅ）は、本発明の第３の実施形態におけるホルダー付き冊子を組み立てる工程を示した図である。以下、図１５を用い、本実施形態におけるホルダー付き冊子の製造方法について説明する。
【００８５】
まず、図１５の（ａ）に示されているように、回動部２５の折目線３２１、３２２、３２５、３２６を外側に折り曲げる。このとき、係止片３５１は切り込み３５２により底面部３０１から切起する。
次に、貼着片３１９の表面に接着剤を塗布し、折目線３２１を切断線３２７に重ね合わせるように、貼着片３１９表面を側面部３０４の裏面に接着固定する。
次に、底面部３０５に対して側面部３０２が垂直となるように、切断線３２７を外側に折り曲げて筒形状を形成する。このとき、係止片３５１は底面部３０５上に載置される。
【００８６】
次に、図１５の（ｂ）に示されるように、収納部２４を筒状の回動部２５に挿着する。
ここで、収納部２４は例えば直方体形状の付属品１３３収納可能な容器であって、一定の耐圧性を有する。収納部２４は、その底面の形状および大きさが底面部３０５に略等しく、その高さが折目線３３７の長さに略等しいものとする。
また、収納部２４は、回動部２５に挿着したとき、窓部３４１から付属品１３３を視認可能なように、少なくともその一部が透明な樹脂で形成されている。収納部２４におけるその一部を成形する樹脂は、付属品１３３の外観を透視し得るものであれば特に制限はなく、ポリエチレン、ポリプロピレン、ポリエチレンテレフタレート等の透明樹脂を任意に選択して用いることができる。
収納部２４は、段ボール紙を折り曲げて作成した断面凹形箱状のものであってもよい。
この場合、窓部３４１には、透明フィルム等で窓貼りしてもよい。
【００８７】
また、図１５の（ｂ）に示されているように、折目線３３７、３３８、３３９、３４０を外側に折り曲げるとともに、折目線３３３、３３４、３３５、３３６を外側に直角に折り曲げて、差し込み片３１２、３１４を差し込む。
【００８８】
次に、図１５の（ｃ）に示されているように、上面部３０６の接着部分３４２、３４３に接着剤を塗布した後に、折目線３２８に沿って上面部３０６を内側に折り曲げて上面部３０６表面と底面部３０３表面とを接着固定する。
また、このとき、係止片３５１には接着剤が付着しないようにする。
【００８９】
最後に、図１５の（ｄ）に示されるように、底面部３０５の裏側の面に接着剤を塗布して、物品収納ホルダー２１の切断線３２７を冊子部２の裏表紙１４１を構成する辺のいずれかに合わせるか、または所定間隔を空けて、物品収納ホルダー２１を冊子部２の裏表紙１４１に接着固定する。
このとき、冊子部２におけるバーコード等の製品管理情報３が露出するような位置に物品収納ホルダー２１を接着する。
以上で、ホルダー付き冊子の組み立てが完成する。
【００９０】
図１６の（ａ）〜（ｃ）は、本発明の第３の実施形態におけるホルダー付き冊子の輸送時および陳列時の形態を示す斜視図である。
以下、図１６を用いて、輸送後に店頭等で陳列する際におけるホルダー付き冊子の形態の変化について説明する。
【００９１】
図１６の（ａ）に示されているように、輸送時には、ホルダー付き冊子は、冊子部２の裏表紙１４１上に物品収納ホルダー２１全体が載置されている形態をとる。
【００９２】
これを、店頭等で陳列するときには、図１６の（ｂ）に示されるように、収納部２４を含む直方体形状の部分を、切断線３２７に沿って外側（ここでは背表紙１４３側）に１８０°展開（回動）する。
また、このとき、係止片３５１を折目線３２２に沿って内側に折り曲げるようにしてもよい。
【００９３】
図１６の（ｃ）に示されているように、ホルダー付き冊子は、販売時等には、冊子部２の表紙１４２面と付属品１３３を視認するための窓部３４１とが同一面に並んで陳列される。
【００９４】
なお、本実施形態では、物品収納ホルダー２１の高さ（裏表紙１４１面に対して垂直方向の長さ）は、冊子部２の厚み以下とする。
このことにより、図１６の（ｃ）のように、冊子部２の表紙１４２面と窓部３４１とを同一面に並べて複数のホルダー付き冊子を積重した場合、各表紙１４２面が互いに平行となり、安定した陳列を実現することが可能となる。
【００９５】
また、本実施形態では、第１の実施形態と同様に、切断線３２７を切断することにより、付属品１３３の収納部分を切離可能としている。さらに、本実施形態では、第１の実施形態と同様に、物品収納ホルダー２１と冊子部２とが剥離可能な接着剤（例えばエマルジョン系のホットメルト接着剤）により接着固定されるとしてもよい。この場合、物品収納ホルダー２１と冊子部２とを繰り返し容易に接着・分離することが可能となる。
【００９６】
また、本実施形態におけるホルダー付き冊子では、第１の実施形態と同様に、物品収納ホルダー２１における回動軸（切断線３２７）に垂直な方向の長さ、すなわち裏表紙１４１を形成する外周縁のうち回動軸に平行かつ最も近接した一辺から、組み立て時の折目線３２２までの距離を、冊子部２における回動軸に垂直方向の幅の２分の１以下とすることにより、物品収納ホルダー２１が互いに嵌合して積重することができる。
従って、その物品収納ホルダー２１が互いに対向するように嵌合させて、ホルダー付き冊子を交互に積重することにより、ホルダー付き冊子の輸送スペースを削減することが可能となる。
【００９７】
また、本実施形態によれば、ホルダー付き冊子を陳列するときには、冊子部２の裏表紙１４１面上の付属品２３３の収納部分を回動軸（切断線２４１）に沿って１８０°回動させることにより、冊子部２の表紙１４２と同一面側に付属品１３３の収納部分を配置することができる。
従って、販売品の表面（冊子部２の表紙１４２）とともに販促品（付属品１３３）に対する視認し易さを高めることができ、顧客に対する訴求力を向上させることが可能となる。
【００９８】
また、本実施形態によれば、物品収納ホルダーの下面を冊子の裏面に貼着して構成される。物品収納ホルダーは、収納した付属品の内容を視認可能なように窓部が設けられた箱形状の容器（紙箱）を、シート状の素材（台紙）に設けられた係止片によりそのシート状の素材に係止して形成される。
従って、箱形状の容器内に一定の耐圧性を有する他の容器を嵌合することにより、その箱形状の容器自体に一定の耐圧性を保証しなくても、輸送時に積重が可能となる。
【００９９】
（第４の実施形態）
本実施形態におけるホルダー付き冊子は、物品収納ホルダーの下面を冊子の裏面に貼着して構成される。物品収納ホルダーは、シート状の素材（台紙）を巻き折り、または２つ折りしたものの上面に２条の切り込みを設け、収納した付属品の内容を視認可能なように一部を透明樹脂で形成された容器（ブリスタ−パック）から直交状外方に向いて形成された鍔（リブ）をその切り込み間に挿入して形成される。
以下、特記しない限り、本実施形態における構成および機能は、第１の実施形態と同様であるとして説明を進める。
【０１００】
図１７の（ａ）は、本発明の第４の実施形態におけるホルダー付き冊子の外観を示す斜視図である。図１７の（ａ）には、巻き折りして台紙を形成した例が示されている。
また、図１７の（ｂ）は、本発明の第４の実施形態におけるホルダー付き冊子の他の例の外観を示す図である。図１７の（ｂ）には、２つ折りして台紙を形成した例が示されている。
図１７に示されるように、本実施形態におけるホルダー付き冊子は、冊子部２の裏表紙に、販促品などの付属品を収納可能な物品収納ホルダー３１が貼着されて構成される。このとき、冊子部２の裏表紙において、製品管理情報３が印刷された領域が露出するように、物品収納ホルダー３１は貼着される。
また、物品収納ホルダー３１は、付属品を収納するための収納部３４と、収納部３４を保持する回動可能な回動部３５とを有して構成される。
【０１０１】
図１８の（ａ）は、本発明の第４の実施形態における物品収納ホルダー３１の回動部３５の平面展開図である。図１８の（ａ）は、図１７の（ａ）に示されるホルダー付き冊子における回動部３５を示したものであり、回動部３５を構成する台紙は、第１の実施形態における回動部５のように、巻き折りされて形成される。
図１８の（ｂ）は、本発明の第４の実施形態における物品収納ホルダー３１の回動部３５の他の例の平面展開図である。図１８の（ｂ）は、図１７の（ｂ）に示されるホルダー付き冊子における回動部３５を示したものであり、回動部３５を構成する台紙は、第２の実施形態における回動部１５のように、２つ折りされて形成される。
【０１０２】
以下、図１８の（ａ）を用いて、回動部３５について説明する。
方形上の底面部４０２の１辺には、折目線４１２を介して上面部４０１が連設される。また、底面部４０２の上面部４０１が連設されている辺の対辺には、折目線４１３を介して上面部４０３が連設されている。
【０１０３】
上面部４０１の底面部４０２が連設されている辺の対辺には、折目線４１１を介して底面部４０４が連設されている。
また、上面部４０１、底面部４０４上には、折目線４１１に対して垂直方向に切断線４１４が設けられている。
【０１０４】
上面部４０１には、切り込み４２２、４２３が折目線４１１と平行な方向に設けられ、切り込み４２２、４２３の至端が互いに外方に向いて切断線４１４に接続されている。
また、切り込み４２２、４２３間に収まる位置にコ字状の切り込み４２１が設けられ、切り込み４２１の至端は切断線４１４に接続されている。
【０１０５】
底面部４０４には、コの字状に切り込み４２４が設けられ、その至端は折目線４１１に接続され、係止片４０５が形成されている。また、係止片４０５の先端には、折目線４１１と平行する方向に突起４０６、４０７が設けられている。係止片４０５が、上面部４０３が底面部４０２に２つ折りに接着されてなる挿入口へ挿入されるとき、突起４０６、４０７がその挿入口に掛かり、物品収納ホルダー３１による意図しない回動を防止する。
【０１０６】
なお、折目線４１１、４１３、切断線４１２は、互いに平行であるものとする。
【０１０７】
以下、図１８の（ｂ）を用いて、回動部３５について説明する。
方形上の底面部４０２の１辺には、折目線４１２を介して上面部４０１が連設される。また、底面部４０２の上面部４０１が連設されている辺の対辺には、折目線４１３を介して上面部４０３が連設されている。
【０１０８】
上面部４０１の底面部４０２が連設されている辺の対辺には、折目線４１１を介して係止片４０５が形成されている。また、係止片４０５の先端には、折目線４１１と平行する方向に突起４０６、４０７が設けられている。係止片４０５が、上面部４０３が底面部４０２に２つ折りに接着されてなる挿入口へ挿入されるとき、突起４０６、４０７がその挿入口に掛かり、物品収納ホルダー３１による意図しない回動を防止する。
また、上面部４０１上には、切断線４１２に対して垂直方向に切断線４１４が設けられている。
【０１０９】
上面部４０１には、切り込み４２２、４２３が折目線４１１と平行な方向に設けられ、切り込み４２２、４２３の至端が互いに外方に向いて切断線４１４に接続されている。
また、切り込み４２２、４２３間に収まる位置にコ字状の切り込み４２１が設けられ、切り込み４２１の至端は切断線４１４に接続されている。
【０１１０】
なお、折目線４１１、４１３、切断線４１２は、互いに平行であるものとする。
【０１１１】
図１９の（ａ）は、本発明の第４の実施形態における収納部３４の外観を示す斜視図であり、（ｂ）は、本発明の第４の実施形態における収納部３４の断面図であり、（ａ）における点線部分の断面を示したものである。
以下、図１９を用いて、本実施形態における収納部３４について説明する。
【０１１２】
図１９の（ｂ）に示されるように、収納部３４は、一方の面（開口面４４１）に開口部４４２が設けられた箱形状の容器であって、開口部４４２から付属品１３３を収納することができる。
また、開口部４４２の各辺縁には、直交状外方に向くリブ４４３が設けられている。
【０１１３】
また、収納部３４は、回動部３５に嵌合したとき、容器部分４４４に収納した付属品１３３を視認可能なように、少なくともその一部が透明な樹脂で形成されている。収納部３４におけるその一部を成形する樹脂は、付属品１３３の外観を透視し得るものであれば特に制限はなく、ポリエチレン、ポリプロピレン、ポリエチレンテレフタレート等の透明樹脂を任意に選択して用いることができる。
【０１１４】
図２０の（ａ）〜（ｅ）は、図１７の（ａ）に示される本発明の第４の実施形態におけるホルダー付き冊子を組み立てる工程を示した図である。
図２１の（ａ）は、本発明の第４の実施形態における物品収納ホルダー３１の断面図であって、図１７の（ａ）の点線部分の断面を示したものである。
以下、図２０および図２１の（ａ）を用い、本実施形態におけるホルダー付き冊子の製造方法について説明する。
【０１１５】
まず、図２０の（ａ）に示されているように、回動部３５の折目線４１１を内側に折り曲げ、上面部４０１裏面の周縁に接着剤を塗布し、上面部４０１を底面部４０４裏面と接着固定する。このとき、係止片４０５は、折目線４１１に沿って折り曲げない。
【０１１６】
次に、図２０の（ｂ）に示されているように、切断線４１２を内側に折り曲げる。またこのとき、係止片４０５は、底面部４０２上に載置される。
【０１１７】
次に、図２０の（ｃ）に示されているように、接着部分４３１、４３２に接着剤を塗布した後に、折目線４１３に沿って上面部４０３を内側に折り曲げて上面部４０３表面と底面部４０２とを接着固定する。このとき、係止片４０５には接着剤が付着しないようにする。
【０１１８】
次に、図２０の（ｄ）および図２１に示されているように、収納部３４における切断線４１４側から、付属品１３３が収納された収納部３４のリブ４４３の両端側を切り込み４２２、４２３の端に差し込んで、収納部３４を回動部３５に嵌合する。このとき、収納部３４の容器部分４４４が切り込み４２２、４２３間に納まるように、収納部３４を回動部３５に嵌合する。
また、収納部３４挿入後、係止片４０８が、挿入方向におけるリブ４４３の終端に外接し、係止片４０８の内側に上記のリブ４４３の終端が嵌合し、係止される。このことにより、収納部３４は、回動部３５から脱離することなく固定される。
【０１１９】
なお、収納部３４における開口面４４１の幅（挿入方向に垂直な方向の開口面４４１の長さ）は、収納部３４の上面部４０１の幅（折目線４１１方向に垂直な方向の長さ）よりも短いものとする。
また、容器部分４４４の幅（挿入方向に垂直な方向の長さ）は、切り込み４２２、４２３間の長さよりも短いものとする。
【０１２０】
最後に、図２０の（ｄ）に示されるように、底面部４０２の裏側の面に接着剤を塗布して、物品収納ホルダー３１の切断線４１２を冊子部２の裏表紙１４１を構成する辺のいずれかに合わせるか、または所定の間隔を空けて、物品収納ホルダー３１を冊子部２の裏表紙１４１に接着固定する。
このとき、冊子部２におけるバーコード等の製品管理情報３が露出するような位置に物品収納ホルダー３１を接着する。
以上で、ホルダー付き冊子の組み立てが完成する。
【０１２１】
なお、図１７の（ｂ）に示されるホルダー付き冊子についても、上述した図１７の（ａ）に示されるホルダー付き冊子と同様に組み立てられる。図１７の（ｂ）のホルダー付き冊子における回動部３５には底面部４０４が設けられていないので、図２０の（ａ）における折目線４１１を折り曲げる工程は省かれる。
また、図２１の（ｂ）は、本発明の第４の実施形態における物品収納ホルダー３１の他の例の断面図であって、図１７の（ｂ）の点線部分の断面を示したものである。このように、図１７の（ｂ）に示される物品収納ホルダー３１の回動部３５を構成する台紙は、組み立て前の回動部３５が２つ折りにされて形成される。
【０１２２】
図２２の（ａ）〜（ｃ）は、図１７の（ａ）に示される本発明の第４の実施形態におけるホルダー付き冊子の輸送時および陳列時の形態を示す斜視図である。
以下、図２２を用いて、輸送後に店頭等で陳列する際におけるホルダー付き冊子の形態の変化について説明する。
【０１２３】
図２２の（ａ）に示されているように、輸送時には、ホルダー付き冊子は、冊子部２の裏表紙１４１上に物品収納ホルダー３１全体が載置されている形態をとる。
【０１２４】
これを、店頭等で陳列するときには、図２２の（ｂ）に示されるように、収納部３４を含む直方体形状の部分を、切断線４１２に沿って外側（ここでは背表紙１４３側）に１８０°展開（回動）する。
また、このとき、係止片４０５を折目線４１１に沿って内側に折り曲げるようにしてもよい。
【０１２５】
図２２の（ｃ）に示されているように、ホルダー付き冊子は、販売時等には、冊子部２の表紙１４２面と、収納部３４における付属品１３３を視認可能な面とが同一面に並んで陳列される。
【０１２６】
また、図２２の（ｂ’）は、図１７の（ｂ）に示される本発明の第４の実施形態における物品収納ホルダー３１の他の例を示す斜視図である。
図２２の（ｂ’）に示されるように、図１７の（ｂ）の物品収納ホルダー３１のように、台紙が２つ折りされて形成される場合、回動時、上面部４０１裏側には収納部３４のリブ４４３の一部が露出する。
【０１２７】
なお、本実施形態では、物品収納ホルダー３１の高さ（裏表紙１４１面に対して垂直方向の長さ）は、冊子部２の厚み以下とする。
このことにより、図２２の（ｃ）のように、冊子部２の表紙１４２面と収納部３４における付属品１３３を視認可能な面とを同一面に並べて複数のホルダー付き冊子を積重した場合、各表紙１４２面が互いに平行となり、安定した陳列を実現することが可能となる。
【０１２８】
また、本実施形態では、第１の実施形態と同様に、切断線４１２を切断することにより、付属品１３３の収納部分を切離可能としている。また、本実施形態では、第１の実施形態と同様に、物品収納ホルダー３１と冊子部２とが剥離可能な接着剤（例えばエマルジョン系のホットメルト接着剤）により接着固定されるとしてもよい。この場合、物品収納ホルダー３１と冊子部２とを繰り返し容易に接着・分離することが可能となる。
さらに、本実施形態では、切断線４１４を切断することにより、係止片４０８によるリブ４４３の係止を解き、回動部３５から収納部３４を抜き取ることが容易となる。
【０１２９】
また、本実施形態におけるホルダー付き冊子では、第１の実施形態と同様に、物品収納ホルダー３１における回動軸（切断線４１２）に垂直な方向の長さ、すなわち裏表紙１４１を形成する外周縁のうち回動軸に平行かつ最も近接した一辺から、収納部３４の容器部分４４４の底面を形成する外周縁のうち回動軸より最も離間した一辺（一端）までの距離を、冊子部２における回動軸に垂直方向の幅の２分の１以下とすることにより、物品収納ホルダー３１が互いに嵌合して積重することができる。
従って、物品収納ホルダー３１が互いに対向させて、ホルダー付き冊子を交互に積重することにより、ホルダー付き冊子の輸送スペースを削減することが可能となる。
【０１３０】
また、本実施形態によれば、ホルダー付き冊子を陳列するときには、冊子部２の裏表紙１４１面上の付属品１３３の収納部分を回動軸（切断線４１２）に沿って１８０°回動させることにより、冊子部２の表紙１４２と同一面側に付属品１３３の収納部分を配置することができる。
従って、販売品の表面（冊子部２の表紙１４２）とともに販促品（付属品１３３）に対する視認し易さを高めることができ、顧客に対する訴求力を向上させることが可能となる。
【０１３１】
また、本実施形態によれば、物品収納ホルダー３１の下面を冊子部２の裏面に貼着して構成される。物品収納ホルダー３１は、シート状の素材（台紙）を巻き折り、または２つ折りしたものの上面に２条の切り込みを設け、収納した付属品１３３の内容を視認可能なように一部を透明樹脂で形成された収納部３４（ブリスタ−パック等）から直交状外方に向いて形成されたリブ４４３をその切り込み４２２、４２３間に挿入して形成される。
また、収納部３４挿入後、係止片４０８が、挿入方向におけるリブ４４３の終端に外接し、係止片４０８の内側に上記のリブ４４３の終端が嵌合し、係止される。このことにより、収納部３４は、回動部３５から脱離することなく固定される。
従って、付属品１３３の収納を容易にするとともに、付属品１３３の盗難などを防止することが可能となる。
【０１３２】
なお、上記の実施形態は本発明の好適な実施の一例であり、本発明の実施形態は、これに限定されるものではなく、本発明の要旨を逸脱しない範囲において種々変形して実施することが可能となる。
【図面の簡単な説明】
【０１３３】
【図１】本発明の第１の実施形態におけるホルダー付き冊子の外観を示す斜視図である。
【図２】本発明の第１の実施形態における物品収納ホルダーの回動部の平面展開図である。
【図３】（ａ）は、本発明の第１の実施形態における物品収納ホルダーの収納部４の外観を示す斜視図であり、（ｂ）は、本発明の第１の実施形態における収納部の平面図であり、（ｃ）は、本発明の第１の実施形態における収納部の断面図である。
【図４】（ａ）〜（ｅ）は、本発明の第１の実施形態におけるホルダー付き冊子を組み立てる工程を示した図である。
【図５】（ａ）〜（ｃ）は、本発明の第１の実施形態におけるホルダー付き冊子の輸送時および陳列時の形態を示す斜視図である。
【図６】（ａ）は、本発明の第１の実施形態におけるホルダー付き冊子の輸送時の形態を示す図であり、（ｂ）は、従来のホルダー付き冊子の輸送時の形態を示す図であり、（ｃ）は、本発明の第１の実施形態におけるホルダー付き冊子の販売・陳列時の形態を示す図である。
【図７】（ａ）、（ｂ）、（ｃ）は、本発明の第１の実施形態におけるホルダー付き冊子からの付属品の収納部分の切り離しを示す図である。
【図８】本発明の第１の実施形態の他の例におけるホルダー付き冊子の外観を示す斜視図である。
【図９】本発明の第２の実施形態におけるホルダー付き冊子の外観を示す斜視図である。
【図１０】本発明の第２の実施形態における物品収納ホルダーの回動部の平面展開図である。
【図１１】（ａ）〜（ｅ）は、本発明の第２の実施形態におけるホルダー付き冊子を組み立てる工程を示した図である。
【図１２】（ａ）〜（ｃ）は、本発明の第２の実施形態におけるホルダー付き冊子の輸送時および陳列時の形態を示す斜視図である。
【図１３】本発明の第３の実施形態におけるホルダー付き冊子の外観を示す斜視図である。
【図１４】本発明の第３の実施形態における物品収納ホルダーの回動部の平面展開図である。
【図１５】（ａ）〜（ｅ）は、本発明の第３の実施形態におけるホルダー付き冊子を組み立てる工程を示した図である。
【図１６】（ａ）〜（ｃ）は、本発明の第３の実施形態におけるホルダー付き冊子の輸送時および陳列時の形態を示す斜視図である。
【図１７】（ａ）は、本発明の第４の実施形態におけるホルダー付き冊子の外観を示す斜視図であり、（ｂ）は、本発明の第４の実施形態におけるホルダー付き冊子の他の例の外観を示す斜視図である。
【図１８】（ａ）は、本発明の第４の実施形態における物品収納ホルダーの回動部の平面展開図であり、（ｂ）は、本発明の第４の実施形態における物品収納ホルダーの回動部の他の例の平面展開図である。
【図１９】（ａ）は、本発明の第４の実施形態における収納部の外観を示す斜視図であり、（ｂ）は、本発明の第４の実施形態における収納部の断面図である。
【図２０】（ａ）〜（ｅ）は、本発明の第４の実施形態におけるホルダー付き冊子を組み立てる工程を示した図である。
【図２１】（ａ）は、本発明の第４の実施形態における物品収納ホルダーの断面図であり、（ｂ）は、本発明の第４の実施形態における物品収納ホルダーの他の例の断面図である。
【図２２】（ａ）〜（ｃ）は、本発明の第４の実施形態におけるホルダー付き冊子の輸送時および陳列時の形態を示す斜視図であり、（ｂ’）は、本発明の第４の実施形態における物品収納ホルダーの他の例を示す斜視図である。
【符号の説明】
【０１３４】
１、１１、２１、３１    物品収納ホルダー
２    冊子部
３    製品管理情報
４、２４、３４    収納部
５、１５、２５、３５    回動部
１０１    保持面部
１０２、１０４、２０２、２０４、３０３、３０６、４０１、４０３    上面部
１０３、１３４、２０３、３０１、３０５、４０２、４０４    底面部
１０５、３４１    窓部
１０６、２０６、３５１、４０５、４０８    係止片
１０７、３５２、４２１〜４２４    切り込み
１０８、１０９、２０８、２０９、３５３、３５４、４０６、４０７    突起
１１１、１１５、２１３、２１５、３２１、３２２、３２５、３２６、３２８、３３３〜３４０、４１１、４１３    折目線
１１４、２１４、３２７、４１２、４１４    切断線
１２１、１２３、１２４、２２３、２２４、３４２、３４３、３４４、４３１、４３２、４３３    接着部分
１３１、４４２    開口部
１３２、４４３    リブ
１３３    付属品
１３５、４４１    開口面
１４１    裏表紙
１４２    表紙
１４３    背表紙
３０２、３０４、３１１、３１３    側面部
３１２、３１４    差し込み片
３１５〜３１８    閉鎖片
３１９    貼着片
４４４    容器部分
【図１】
2005104502.tif 000003
【図２】
2005104502.tif 000004
【図３】
2005104502.tif 000005
【図４】
2005104502.tif 000006
【図５】
2005104502.tif 000007
【図６】
2005104502.tif 000008
【図７】
2005104502.tif 000009
【図８】
2005104502.tif 000010
【図９】
2005104502.tif 000011
【図１０】
2005104502.tif 000012
【図１１】
2005104502.tif 000013
【図１２】
2005104502.tif 000014
【図１３】
2005104502.tif 000015
【図１４】
2005104502.tif 000016
【図１５】
2005104502.tif 000017
【図１６】
2005104502.tif 000018
【図１７】
2005104502.tif 000019
【図１８】
2005104502.tif 000020
【図１９】
2005104502.tif 000021
【図２０】
2005104502.tif 000022
【図２１】
2005104502.tif 000023
【図２２】
2005104502.tif 000024